(57)【特許請求の範囲】
【請求項１】
リュックサック本体に被せるリュックサック用カバーであって、
前記リュックサック本体に被せた際に生じるカバー本体の余剰分をたぐり寄せると共に、その状態を保持する調節部を設けたリュックサック用カバー。
【請求項２】
前記調節部は、該調節部自身が拡縮することによって前記余剰分のたぐり寄せ量を調節する請求項１記載のリュックサック用カバー。
【請求項３】
前記調節部は、前記カバー本体を該調節部内に押し込めると共に、縮小させることにより当該調節部内に収納可能である請求項１または請求項２記載のリュックサック用カバー。
【請求項４】
前記調節部は、紐状部材と、前記カバー本体に形成されかつ前記紐状部材が挿通されるスリーブを備え、前記スリーブが、前記紐状部材によって絞られることで前記拡縮を行う請求項１ないし請求項３のいずれか一項に記載のリュックサック用カバー。
【請求項５】
前記調節部を前記カバー本体の上部に設けた請求項１ないし請求項４のいずれか一項に記載のリュックサック用カバー。
【請求項６】
前記カバー本体に、該カバー本体を前記リュックサックに固定する固定部材を設けた請求項１ないし請求項５のいずれか一項に記載のリュックサック用カバー。
【発明の詳細な説明】
【０００１】
【発明が属する技術分野】
本発明は、リュックサックに被せて、雨や雪や水等から前記リュックサック及びその中身を守るリュックサック用カバーに関する。
【０００２】
【従来の技術】
従来から、雨や雪や水等からリュックサック及びその中身を守るため、リュックサック用のカバーが使用されている。この従来のリュックサック用カバーとしては、例えば、リュックサック本体を覆うカバー本体の縁部分に伸縮可能なゴム紐等が設けられており、この縁部分を伸ばした状態にしてリュックサック本体に取付け、その後この縁部分をゴム紐の弾性力によって縮めることによって、リュックサック本体に被せる構成のものがある。
【０００３】
このような従来のリュックサック用カバーは、リュックサックに中身が一杯に詰まっている状態であっても、このリュックサック本体を覆うことができるような大きさに構成されている。
【０００４】
【発明が解決しようとする課題】
しかしながら、この従来のリュックサック用カバーは、リュックサックに中身が一杯に詰まっている状態に合わせた大きさを有しているため、リュックサックの中身が少ないと、余った部分（余剰分）がだぶついてしまい、リュックサック本体にフィットしなくなるという欠点がある。このため、この余剰部分が風等によってばたつき易くなり、リュックサックを背負った状態で歩行しにくくなると共に、危険が生じる虞もある。また、見映えが悪いという欠点もある。
【０００５】
本発明は、このような従来の問題点を解決することを課題とするものであり、リュックサックの大きさや、その中身の量に合わせて、大きさを調節することが可能なリュックサック用カバーを提供することを目的とする。
【０００６】
【課題を解決するための手段】
この目的を達成するために、本発明は、リュックサック本体に被せるリュックサック用カバーであって、前記リュックサック本体に被せた際に生じるカバー本体の余剰分をたぐり寄せると共に、その状態を保持する調節部を設けたリュックサック用カバーを提供するものである。
【０００７】
この構成により、リュックサック用カバーの大きさを、リュックサックや、その中身の量に合わせて調節することが可能となる。
【０００８】
前記調節部は、該調節部自身が拡縮することによって前記余剰分のたぐり寄せ量を調節することができる。
【０００９】
また、前記調節部は、前記カバー本体を該調節部内に押し込めると共に、縮小させることにより当該調節部内に収納することができる。
【００１０】
さらにまた、前記調節部は、紐状部材と、前記カバー本体に形成されかつ前記紐状部材が挿通されるスリーブを備え、前記スリーブが、前記紐状部材によって絞られることで前記拡縮を行うこともできる。
【００１１】
また、前記調節部は、前記カバー本体の上部に設けることができる。
【００１２】
そしてまた、前記カバー本体には、該カバー本体を前記リュックサックに固定する固定部材を設けることができる。
【００１３】
【発明の実施の形態】
次に、本発明の実施の形態に係るリュックサック用カバーについて図面を参照して説明する。
【００１４】
図１は、本実施の形態に係るリュックサック用カバーを、中身が一杯に詰まったリュックサック本体に被せた状態を示す正面図、図２は、本実施の形態に係るリュックサック用カバーを、中身が少ないリュックサック本体に被せた状態を示す正面図、図３は、本実施の形態に係るリュックサック用カバーを携帯する際の一例を示す図である。
【００１５】
図１及び図２に示すように、本実施の形態１に係るリュックサック用カバー１は、リュックサック本体２に被せることが可能な形状のカバー本体１０を有している。
【００１６】
カバー本体１０は略Ｃ字型の袋状を有し、その入口に相当する縁部１１には、伸縮可能なゴム紐１２が設けられており、このゴム紐１２によって縁部１１が伸縮するようになっている。この構成により、リュックサック本体２への取り付け、取り外しが楽にできるようになっていると共に、リュックサック本体２に弾性的にフィットする。
【００１７】
このゴム紐１２は、例えば、リュックサック用カバー１の縁部１１を折り返してカバー本体１０に縫い合わせ、略筒状に形成したスリーブ（通路）内に挿通してもよく、また、カバー本体１０に縫い合わせてシャーリングを形成する等、任意の方法で設けることができる。
【００１８】
カバー本体１０の、リュックサック本体２に被せた際に上側となる部分には、特に図１に示すように、カバー本体１０の大きさを調節する調節部１３が形成されている。この調節部１３は、ゴム紐１４と、カバー本体１０に形成されかつゴム紐１４が挿通されるスリーブ１５を備えている。
【００１９】
スリーブ１５は、カバー本体１０をリュックサック本体２に被せた際に上側となる部分の略中央部付近を囲むように、略逆Ｕ字状に設けられている。このスリーブ１５の両端部は、縁部１１まで延びており、挿通されたゴム紐１４の端部と共に、この部分に固定されている。また、スリーブ１５の略中間部分（リュックサック本体２に被せた際に頂点付近となる部分）には、挿通されたゴム紐１４をスリーブ１５から外に延出させるための開口部１６が形成されている。このスリーブ１５は、ゴム紐１４が挿通可能なように、例えば、略筒状に形成した別布をカバー本体１０に縫い付ける等、様々な方法により構成することができる。
【００２０】
ゴム紐１４の開口部１６から延出した部分には、スリーブ１５内に挿通されているゴム紐１４の長さを調節し、固定するアジャスト用コードロック１７が設けられている。また、開口部１６から延出したゴム紐１４の先端部は、コードロック１７が抜け落ちないように結ばれている。
【００２１】
この調節部１３は、ゴム紐１４を引張り、図２に示すように、スリーブ１５を絞ることで、カバー本体１０の余剰分をたぐり寄せる。したがって、ゴム紐１４の引張り具合（スリーブ１５の絞り具合）に応じて、カバー本体１０の大きさを調節し、リュックサック用カバー１の大きさを、リュックサック本体２の大きさに合わせることができる。したがって、従来のリュックサック用カバーのように、余剰部分が風等によってばたついたりすることがない。この時、スリーブ１５内にあるゴム紐１４の長さをコードロック１７によってロックすることで、この状態を簡単に維持することができる。
【００２２】
また、リュックサック本体２からリュックサック用カバー１を取り外した際には、ゴム紐１４を引張ってスリーブ１５を絞り、図３に示すように、スリーブ１５の内側に位置する本体部分１８（図１参照）と、スリーブ１５及びゴム紐１４によって形成される袋内に、カバー本体１０を押し込めることができる。すなわち、カバー本体１０を調節部１３内に収納することができる。このため、リュックサック用カバー１を使用しない際には、小さな状態で持ち運ぶことができ、また、小さな状態で保管することができ、便利である。
【００２３】
カバー本体１０の縁部１１であって、スリーブ１５の縁側両端部の間に位置する部分には、リュックサック本体２の上部に設けられた取っ手２１にリュックサック用カバー１を固定するための固定部材であるマルカン１９及びフック２０が設けられている。このマルカン１９にフック２０を装着させることで、両者が取っ手２１に取付られ、リュックサック用カバー１が固定される。
【００２４】
この固定部材により、リュックサック用カバー１をリュックサック本体２にさらにしっかりと固定することができ、例えば、風等によってリュックサック用カバー１が外れてしまうことを一層防止することができる。
【００２５】
また、カバー本体１０の縁部１０であって、リュックサック本体２に被せた際に、リュックサック本体２の両側の略中間部に位置する部分には、リュックサック本体２にリュックサック用カバー１を固定するための中間部固定機構２２が設けられている。この中間部固定機構２２は、カバー本体１０縁部１１に対向して設けられた一対のゴム紐２３Ａ及び２３Ｂと、ゴム紐２３Ａ及び２３Ｂを取り外し可能に連結する連結バンド２４とを備えて構成されている。
【００２６】
ゴム紐２３Ａ及び２３Ｂは、各々その両端が互いに間隔をおいて縁部１１に固定されている。また、連結バンド２４には、例えば、バックル、ホック、ボタン、ベルクロ（いわゆるマジックテープ）等の係合部材が設けられており、これらを係合・非係合することによって、ゴム紐２３Ａ及び２３Ｂを取り外し可能に連結する。
【００２７】
この中間部固定機構２２により、リュックサック用カバー１をリュックサック本体２に、より一層しっかりと固定することができる。
【００２８】
なお、本実施の形態では、調節部１３を、スリーブ１５と、これに挿通されるゴム紐１４と、コードロック１７によって構成した場合について説明したが、これに限らず、調節部は、カバー本体１０の大きさをリュックサック本体２の大きさに合わせて調節することが可能であれば、他の構成を備えていてもよい。
【００２９】
具体的には、例えば、スリーブ１５をズボン等に設けられているベルト通しのように、複数孤立させて設け、そこにゴム紐を挿通させてもよい。また、ゴム紐１４に代えて、伸縮性のない紐等を使用してもよい。そしてまた、コードロック１７を設けずに、ゴム紐等（紐状部材）を結んで固定するようにしてもよい。
【００３０】
また、本実施の形態では、調節部１３をカバー本体１０の上側に設けた場合について説明したが、これに限らず、調節部１３は、使用するリュックサックの形態に合わせて、任意の位置に設けることができる。
【００３１】
そしてまた、本実施の形態では、リュックサック用カバー１をリュックサック本体２に固定する固定部材として、マルカン１９とフック２０の組合わせについて説明したが、これに限らず、例えば、バックル、ホック、ボタン、ベルクロ（いわゆるマジックテープ）等、着脱自在な係合部材が設けられたテープ状部材等を利用してリュックサック用カバー１を固定してもよい。
【００３２】
また、リュックサック用カバー１をリュックサック本体２に固定する固定部材として、前述した構成の中間部固定機構２２を設けた場合について説明したが、これに限らず、例えば、ゴム紐２３Ａ及び２３Ｂに代えて、伸縮性の無い紐やプラスチック部材、金具類を使用し、連結バンド２４を伸縮性部材で構成してもよい。また、テープ状部材等の一端をカバー本体１０に固定し、他端に前述したような係合部材の一方を設け、カバー本体１０の所定位置に前記係合部材の他方を固定して、この係合部材を係合させる等、他の構成であってもよい。
【００３３】
また、これらの固定部材（固定機構）は、リュックサック用カバー１をリュックサック本体２に固定することが可能であれば、他の部分に設けても良く、固定部材の設置数、またその有無も特に限定されるものではない。
【００３４】
【発明の効果】
以上説明したように、本発明に係るリュックサック用カバーは、カバー本体の大きさを調節することができる調節部を備えているため、リュックサック本体の大きさに合わせて、リュックサック用カバーの大きさを任意に調節することができる。このため、リュックサックに入れられた中身の量に関わらず、リュックサック用カバーをリュックサック本体にフィットさせることができる。この結果、風等によってばたつくことが防止され、安全で使用感に優れ、見映えのよいリュックサック用カバーを提供することができる。
【図面の簡単な説明】
【図１】本発明の実施の形態に係るリュックサック用カバーを、中身が一杯に詰まったリュックサック本体に被せた状態を示す正面図である。
【図２】本発明の実施の形態に係るリュックサック用カバーを、中身が少ないリュックサック本体に被せた状態を示す正面図である。
【図３】本発明の実施の形態に係るリュックサック用カバーを携帯する際の一例を示す図である。
【符号の説明】
１    リュックサック用カバー
２    リュックサック本体
１０    カバー本体
１２    ゴム紐
１３    調節部
１４    ゴム紐
１５    スリーブ
１７    コードロック
１９    マルカン
２０    フック
２２    中間部固定機構
【図１】
0004362174.tif 000002
【図２】
0004362174.tif 000003
【図３】
0004362174.tif 000004